(57)【特許請求の範囲】
【請求項１】
水中ポンプ、前記水中ポンプに接続される吐出管、および前記水中ポンプの前記吐出管とは反対側に接続されて前記水中ポンプを駆動するモータを含む水中モータポンプであって、
前記水中ポンプ、および前記モータの少なくとも一部を覆う外筒と、
前記吐出管の外周部に着脱可能に取り付けられて前記外筒を支持する取付部材と
を備え、
前記取付部材は、前記吐出管を囲んで配置される複数の部分を含み、
前記取付部材の少なくとも一部は、前記複数の部分が互いに締結されたときに前記吐出管を締め付けるように構成された内周形状を有する、水中モータポンプ。
【請求項２】
前記複数の部分のうち少なくとも２つの部分は、共通の形状を有する、請求項１に記載の水中モータポンプ。
【請求項３】
前記取付部材は、前記吐出管に接触する面の少なくとも一部に形成された滑り止め構造を有する、請求項１または２に記載の水中モータポンプ。
【請求項４】
前記外筒は、一方の端部に形成される複数の孔を有し、
前記取付部材は、複数の突出部を有し、前記複数の突出部を前記複数の孔にそれぞれ嵌合させることによって前記外筒を支持する、請求項１〜３のいずれか１項に記載の水中モータポンプ。
【請求項５】
前記取付部材は、前記突出部が形成された面の少なくとも一部に形成された滑り止め構造を有する、請求項４に記載の水中モータポンプ。
【請求項６】
前記外筒は、硬質ポリ塩化ビニルによって形成される、請求項１〜５のいずれか１項に記載の水中モータポンプ。
【請求項７】
水中ポンプ、前記水中ポンプに接続される吐出管、および前記水中ポンプの前記吐出管とは反対側に接続されて前記水中ポンプを駆動するモータを含む水中モータポンプに用いられる取付部材であって、
前記取付部材を前記吐出管の外周部に着脱可能に取り付ける構造と、
前記水中ポンプ、および前記モータの少なくとも一部を覆う外筒を支持する構造と
を備え、
前記取付部材は、前記吐出管を囲んで配置される複数の部分を含み、
前記取付部材の少なくとも一部は、前記複数の部分が互いに締結されたときに前記吐出管を締め付けるように構成された内周形状を有する、取付部材。
【発明の詳細な説明】
【技術分野】
【０００１】
本発明は、水中モータポンプ、および水中モータポンプに用いられる取付部材に関する。
【背景技術】
【０００２】
水中モータポンプは、井戸や海、川、プールなどの水中に設置され、モータの駆動によって水を汲み上げる。モータの駆動時には熱が発生するため、モータの冷却が必要になる。設置環境により、モータ周辺の水が滞留していると水が温まってしまうため、効率的な冷却のためにはモータ周辺に水流を生じさせる必要がある。
【０００３】
そこで、例えば、特許文献１，２には、受水槽の底部または外部に略水平方向に設置される水中モータポンプにおいて、モータの周面を覆う外筒を設置する構成が記載されている。外筒とモータとの間を通して水をポンプの吸水部に導くことでモータ周辺に水流を生じさせることができる。また、このような略水平方向に設置される水中モータポンプに限らず、井戸内に略鉛直方向に設置される水中モータポンプにおいても、モータの周面を覆う外筒を用いたモータの冷却が実施されている。このような従来技術の例について、図１を参照して説明する。
【０００４】
図１は、従来技術に係る水中モータポンプの例を示す図である。図１を参照すると、深井戸内に設置される水中モータポンプ１０は、水中ポンプ１１と、吐出管１２と、モータ１３とを有する。水中モータポンプ１０は、さらに、吐出管１２の外周部に溶接されるフランジ１４と、フランジ１４の外周部に連結される外筒１６とを有する。外筒１６は、水中ポンプ１１およびモータ１３を覆って延び、モータ１３の下端付近で開口端１７を形成している。水中モータポンプ１０によって汲み上げられる水は、開口端１７から、モータ１３と外筒１６との間の間隙を通って流れ、水中ポンプ１１の吸込口１８に到達する。これによって、モータ１３周辺に水流を発生させ、モータ１３を効率的に冷却することができる。
【先行技術文献】
【特許文献】
【０００５】
【特許文献１】特開昭５８−２０４９９６号公報
【特許文献２】特開昭６０−８８８８９号公報
【発明の概要】
【発明が解決しようとする課題】
【０００６】
しかしながら、例えば図１に示したような従来技術では、外筒１６を設置するためのフランジ１４を吐出管１２に溶接することが必要になる。それゆえ、溶接のための設備と作業工程が必要になり、例えば水中モータポンプが設置された現地で外筒１６を新たに設置したり、既に設置されている外筒１６を交換したりすることは容易ではなかった。
【０００７】
本発明は上述の点に鑑みてなされたものである。本発明の目的の一つは、水中モータポンプにおいてモータを冷却するための外筒を容易に設置または交換することが可能な、水中モータポンプ、および水中モータポンプに用いられる取付部材を提供することにある。
【課題を解決するための手段】
【０００８】
本発明のある観点によれば、水中ポンプ、水中ポンプに接続される吐出管、および水中ポンプの吐出管とは反対側に接続されて水中ポンプを駆動するモータを含む水中モータポ
ンプであって、水中ポンプ、およびモータの少なくとも一部を覆う外筒と、吐出管の外周部に着脱可能に取り付けられて外筒を支持する取付部材とを備える水中モータポンプが提供される。
【０００９】
上記の構成では、外筒を設置するにあたって、取付部材が吐出管に着脱可能に取り付けられていることによって、溶接などの煩雑な工程が不要になり、外筒を容易に設置または交換することができる。また、取付部材を吐出管に取り付けることによって、水中ポンプの種類や形状にかかわらず共通の取付部材を用いて外筒を設置することが可能になる。
【００１０】
上記の水中モータポンプにおいて、取付部材は、吐出管を囲んで配置される複数の部分を含み、取付部材の少なくとも一部は、複数の部分が互いに締結されたときに吐出管を締め付けるように構成された内周形状を有してもよい。これによって、取付部材の複数の部分を互いに締結することによって取付部材を吐出管に取り付け、締結を解くことによって取付部材を吐出管から取り外すことができる。
【００１１】
また、この場合、取付部材の複数の部分のうち少なくとも２つの部分は、共通の形状を有してもよい。取付部材を構成する複数の部分が共通の形状を有することによって、例えば鋳造などによる取付部材の製造工程が簡略化される。
【００１２】
上記の水中モータポンプにおいて、取付部材は、吐出管に接触する面の少なくとも一部に形成された滑り止め構造を有してもよい。これによって、取付部材と吐出管とがより強固に固定される。
【００１３】
また、上記の水中モータポンプにおいて、外筒は、一方の端部に形成される複数の孔を有し、取付部材は、複数の突出部を有し、複数の突出部を複数の孔にそれぞれ嵌合させることによって外筒を支持してもよい。さらに、取付部材は、突出部が形成された面の少なくとも一部に形成された滑り止め構造を有してもよい。これによって、取付部材と外筒とがより強固に固定される。
【００１４】
また、上記の水中モータポンプにおいて、外筒は、例えば硬質ポリ塩化ビニルによって形成されてもよい。硬質ポリ塩化ビニルは軽量であるため、取付部材を吐出管の外周部に締め付けて固定する構造で外筒を安定的に支持することが容易になりうる。また、硬質ポリ塩化ビニルは加工性に優れるため、例えば外筒の上端部に孔を開ける工程が容易に実行可能になる。なお、外筒は、例えば軽量であったり、または加工性に優れていたりするその他の材料で形成されてもよい。
【００１５】
本発明の別の観点によれば、水中ポンプ、水中ポンプに接続される吐出管、および水中ポンプの吐出管とは反対側に接続されて水中ポンプを駆動するモータを含む水中モータポンプに用いられる取付部材であって、取付部材を吐出管の外周部に着脱可能に取り付ける構造と、水中ポンプ、およびモータの少なくとも一部を覆う外筒を支持する構造とを備える取付部材が提供される。
【図面の簡単な説明】
【００１６】
【図１】従来技術に係る水中モータポンプの例を示す図である。
【図２】本発明の一実施形態に係る水中モータポンプの概略的な構成を示す図である。
【図３】本発明の一実施形態に係る取付部材の斜め上方から見た斜視図である。
【図４】本発明の一実施形態に係る取付部材の斜め下方から見た斜視図である。
【図５】図３および図４に示す取付部材を構成する部分の構成を示す図である。
【図６】本発明の一実施形態に係る外筒の斜視図である。
【発明を実施するための形態】
【００１７】
以下に添付図面を参照しながら、本発明の好適な実施の形態について詳細に説明する。
【００１８】
図２は、本発明の一実施形態に係る水中モータポンプの概略的な構成を示す図である。図２を参照すると、深井戸内に設置される水中モータポンプ１００は、水中ポンプ１１０と、吐出管１２０と、モータ１３０と、取付部材１４０と、外筒１６０とを含む。
【００１９】
水中ポンプ１１０は、モータ１３０の主軸に接続される駆動軸と、駆動軸に取り付けられた複数枚の羽根とがケーシング１１１に収容された構造を有する。モータ１３０が駆動されることによって駆動軸に取り付けられた羽根が回転し、これによって水が汲み上げられる。水は吸込口１１３からケーシング１１１内に吸い込まれ、吐出管１２０に供給される。吐出管１２０は、水中ポンプ１１０の上側に接続される。ケーシング１１１は水中ポンプ１１０の軸方向に積層構造を有し、この積層構造を保持するために複数の締付バンド１１５が設置されている。また、吐出管１２０は、汲み上げた水を深井戸の外部に導く配管に連通する。モータ１３０は、水中ポンプ１１０の下側、すなわち水中ポンプ１１０の吐出管１２０とは反対側に接続されて、上記のように水中ポンプ１１０を駆動する。
【００２０】
なお、本実施形態では、水中ポンプ１１０、吐出管１２０、およびモータ１３０については公知の様々な構成を適用することが可能である。従って、これらの部材についてこれ以上の詳細な説明は省略する。
【００２１】
取付部材１４０は、吐出管１２０の外周部に着脱可能に取り付けられる構造を有する。より具体的には、取付部材１４０は、吐出管１２０を囲んで配置される複数の部分を含み、全体として環状である。さらに、取付部材１４０の少なくとも一部は、複数の部分が互いに締結されたときに吐出管１２０を締め付けるように構成された内周形状を有する。例えば、取付部材１４０の少なくとも一部では、内径が吐出管１２０の外径に対応する。これによって、取付部材１４０の各部分が互いに締結された場合、取付部材１４０は吐出管１２０を締め付け、これによって取付部材１４０が吐出管１２０の外周部に取り付けられる。さらに、各部分の締結を解けば取付部材１４０を吐出管１２０の外周部から取り外すことができる。このようにして、本実施形態において取付部材１４０は吐出管１２０の外周部に着脱可能に取り付けられる。このように取付部材１４０が着脱可能に吐出管１２０に取り付けられることによって、新たな外筒１６０の設置だけではなく、既に設置された外筒１６０の交換も容易になる。
【００２２】
また、取付部材１４０は、外筒１６０を支持する構造を有する。より具体的には、取付部材１４０は、外筒１６０の上端部に形成される複数の孔１６１にそれぞれ嵌合する複数の突出部１４１を有する。このような構造によって、取付部材１４０は、水中モータポンプ１００が深井戸内に設置された状態において外筒１６０を吊り下げることができる。
【００２３】
上記の通り、本実施形態では、取付部材１４０を複数の部分に分割することが可能である。従って、取付部材１４０の全体が形成する環状を、各部分の締結を解くことによって一時的に開放することができる。それゆえ、例えば吐出管１２０の両端に水中ポンプ１１０や他の配管が接続された後に取付部材１４０を取り付けることも容易である。従って、本実施形態では、取付部材１４０を用いて外筒１６０を設置または交換する工程を、水中ポンプ１１０や他の配管に影響を与えることなく実施することが可能である。なお、上記のような取付部材１４０の構造のより詳細な例については後述する。
【００２４】
外筒１６０は、水中ポンプ１１０と、モータ１３０の少なくとも一部とを覆う筒状の部材である。上記のとおり、外筒１６０の上端部には複数の孔１６１が形成される。複数の
孔１６１に取付部材１４０に形成された複数の突出部１４１がそれぞれ嵌合することによって、外筒１６０は支持される。外筒１６０は、このような構造によって、水中モータポンプ１００が深井戸内に設置された状態において取付部材１４０から吊り下げられる。また、本実施形態において、外筒１６０は、吸込口１１３を含む水中ポンプ１１０の全体と、モータ１３０の大部分とを、それぞれ覆っている。ここで、外筒１６０の内径は、水中ポンプ１１０およびモータ１３０のそれぞれの外径よりも大きく、従って外筒１６０と水中ポンプおよびモータ１３０のそれぞれとの間には隙間が存在する。加えて、外筒１６０の下端には、開口端１６３が形成されている。従って、水中モータポンプ１００では、開口端１６３から吸い込まれた水が、外筒１６０とモータ１３０との間の隙間を通って、水中ポンプ１１０の吸込口１１３まで流れる。これによって、モータ１３０周辺に水流が発生し、モータ１３０の効率的な冷却が可能になる。なお、上記のような外筒１６０の構造のより詳細な例についても後述する。
【００２５】
ここで、外筒１６０がモータ１３０を覆うことは、必ずしも外筒１６０の下端がモータ１３０の下端よりも下に位置することを意味しない。上記のように、外筒１６０はモータ１３０周辺に水流を発生させることによってモータ１３０を効率的に冷却することを主な目的として設けられる。それゆえ、外筒１６０は、モータ１３０の主に熱が発生する部分を覆っていればよく、必ずしもモータ１３０の全体を覆っていなくてもよい。
【００２６】
以上で説明したような本発明の一実施形態では、上述したような外筒１６０の作用によってモータ１３０周辺に水流を発生させ、それによってモータ１３０を効率的に冷却することができる。例えば、外筒を有さない水中モータポンプにおいて、設置後にモータをより小型のものに交換したような場合、モータと井戸の内壁との間の間隔が大きくなり、水の量が限られているにもかかわらずモータ周辺に水流が発生しない状態になる可能性がある。このような場合に、上記の水中モータポンプ１００のように、外筒１６０を設置してモータ１３０を効率的に冷却することは有効である。
【００２７】
また、上記の実施形態では、外筒１６０を支持する取付部材１４０が、吐出管１２０の外周部に着脱可能に取り付けられる。このような取付部材１４０が提供されることによって、例えば外筒を有さない水中モータポンプが設置された現地で新たに外筒１６０を取り付けたり、既に取り付けられた外筒１６０を交換したりすることが容易になる。さらに、本実施形態では、取付部材１４０が、水中ポンプ１１０ではなく吐出管１２０に取り付けられる。これによって、取付部材１４０が吐出管１２０の外径に対応した内径を有してさえいれば、水中ポンプ１１０の種類や形状に関わらず、同じ取付部材１４０を用いて外筒１６０を設置することができる。
【００２８】
さらに、上記の実施形態において、外筒１６０を例えば硬質ポリ塩化ビニルなどの軽量な材料で形成すれば、上述したような取付部材１４０が吐出管１２０の締め付けによって固定されるような構造でも、外筒１６０を安定的に支持することができる。また、硬質ポリ塩化ビニルは加工性に優れるため、例えば外筒１６０に孔１６１を開ける工程を現地で実施することも可能である。なお、外筒１６０を形成するための軽量な材料としては、例えば、硬質ポリ塩化ビニルに限らず、その他のプラスチック、ＦＲＰ（Fiber-Reinforced
Plastic）、セラミックス材料、またはステンレス鋼などの金属薄板が利用可能である。外筒１６０の材料は、このような利用可能な材料の中から、入手性、耐久性、または加工性などに応じて適宜選択される。
【００２９】
続いて、上述した本発明の一実施形態における取付部材の構造のより詳細な例について、さらに説明する。
【００３０】
図３および図４は、本発明の一実施形態に係る取付部材の斜視図である。なお、図３は
取付部材１４０を斜め上方から見た図、図４は取付部材１４０を斜め下方から見た図である。図３および図４を参照すると、取付部材１４０は、吐出管１２０（図示せず）を囲んで配置される複数の部分１４０ａ〜１４０ｃに分割されている。図示された例において、取付部材１４０は周方向について３等分されており、部分１４０ａ〜１４０ｃは共通の形状を有する。なお、取付部材１４０は必ずしも３つの部分に分割されなくてもよく、２つ、４つ、またはさらに多くの部分に分割されてもよい。
【００３１】
既に説明したように、本実施形態では、取付部材１４０を複数の部分に分割し、これらの部分を互いに締結可能にすることによって、取付部材１４０を吐出管１２０の外周部に着脱可能に取り付けることができる。ここで、図示された例のように取付部材１４０の少なくとも一部を均等に分割することによって、各部分の形状を共通化することができる。なお、本実施形態において、分割は必ずしも取付部材１４０の全体について均等でなくてもよく、例えば取り付け時の工程上の便宜のために、部分的に不均等な分割、または全体について不均等な分割が採用されてもよい。
【００３２】
図示された例において、取付部材１４０は、全体として、内径が小さい上部と内径が大きい下部とからなる凸型の断面を有する。この上部は、部分１４０ａ〜１４０ｃが互いに締結されたときに吐出管１２０を締め付けるように構成された内周形状を有する。より具体的には、上部において、取付部材１４０の内径は、吐出管１２０の外径に対応する。この結果、取付部材１４０の上部に形成される上部内周面１４３は、部分１４０ａ〜１４０ｃが互いに締結された状態では吐出管１２０の表面に押し付けられ、摩擦力によって取付部材１４０を吐出管１２０に固定する。摩擦力による固定をより強固にするために、吐出管１２０に接触する上部内周面１４３の少なくとも一部には、滑り止め構造として複数の溝１４５が形成されてもよい。
【００３３】
一方、取付部材１４０の下部に形成される下部内周面１４７には、複数の突出部１４１が形成される。既に述べたように、複数の突出部１４１は、外筒１６０の上端部に形成される孔１６１にそれぞれ嵌合し、これによって外筒１６０が取付部材１４０に支持される。付加的に、下部内周面１４７の少なくとも一部には、滑り止め構造として複数の溝１４９が形成されてもよい。この場合、取付部材１４０の下部の内径を外筒１６０の外径に対応させることによって、溝１４９によって形成される凹凸を外筒１６０の外周面に食い込ませることができる。例えば外筒１６０を硬質ポリ塩化ビニルなどの比較的軟質の材料で形成する場合、このような構成によって、取付部材１４０による外筒１６０の固定をより強固にすることができる。
【００３４】
図示された例において、取付部材１４０の部分１４０ａ〜１４０ｃは、ボルト１５１およびナット１５３を用いて互いに締結されている。なお、締結具としては必ずしもボルト１５１およびナット１５３が用いられなくてもよく、他の種類の締結具が利用されてもよい。また、図示された例において、取付部材１４０の肩部（上部と下部との接合部）には、吐出管１２０の表面に配置されるケーブルを通すためのケーブル孔１５５が設けられる。このケーブルは、例えばモータ１３０に電力を供給するためのものである。図示された例では、分割された部分１４０ａ〜１４０ｃのそれぞれの形状を共通化するために３つのケーブル孔１５５が設けられているが、実際にケーブルが通されるのはそのうち１つまたは２つでありうる。
【００３５】
ここで、後述するように、外筒１６０の下端側から十分に水を吸い込むことでモータ１３０を効率的に冷却するためには、外筒１６０の上端側において、外筒１６０と吐出管１２０との間の隙間の端部は閉じられていた方がよい。しかしながら、必ずしも隙間の端部を密封する必要はない。それゆえ、取付部材１４０には、ケーブルが通されずに開放されたケーブル孔１５５が存在してもよい。つまり、取付部材１４０は、配置されるケーブル
の数よりも多くのケーブル孔１５５を有してもよい。
【００３６】
図５は、図３および図４に示す取付部材を構成する一部分の構成を示す図である。一例として取付部材１４０の部分１４０ａが図示されているが、部分１４０ｂ，１４０ｃも同一の構成を有する。既に述べたように、例えば取付部材１４０を周方向に均等に分割して部分１４０ａ〜１４０ｃとすることによって、それぞれの部分の形状を共通化することができる。これによって、例えば、鋳造などによる取付部材１４０の製造工程が簡略化される。より具体的には、部分１４０ａ〜１４０ｃを例えばステンレス鋼などの鋳造によって製造する場合、これらの部分の形状が共通であれば、鋳型は１種類でよい。また、取付部材１４０が複数の部分に分割されていること、および各部分の形状が共通化されていることによって、取付部材１４０を保管するためのスペースが少なくて済み、例えば設置や交換などに備えて大量の取付部材１４０の在庫を保管することが容易になる。
【００３７】
図示された例において、部分１４０ａには、他の部分１４０ｂ，１４０ｃと互いに締結するためのフランジ部１５７が設けられている。フランジ部１５７は、図３および図４に示したボルト１５１を通すための孔を有する。なお、フランジ部１５７の構造は、他の部分との締結に用いられる締結具の種類に応じて、他の適切な構造に置き換えられてもよい。また、図示された例において、部分１４０ａには、隣接する他の部分（部分１４０ｂまたは部分１４０ｃ）の外側に重なるオーバーラップ部１５９が設けられている。オーバーラップ部１５９が設けられることによって、部分１４０ａ〜１４０ｃを安定的に組み合わせて取付部材１４０を形成することができる。
【００３８】
続いて、上述した本発明の一実施形態における外筒の構造のより詳細な例について、さらに説明する。
【００３９】
図６は、本発明の一実施形態に係る外筒の斜視図である。図６を参照すると、外筒１６０は、全体として筒状であり、上端部に複数の孔１６１が形成されている。上述のとおり、複数の孔１６１には、取付部材１４０に形成される複数の突出部１４１がそれぞれ嵌合する。それゆえ、孔１６１のそれぞれは、突出部１４１のそれぞれに対応した位置に形成される。例えば、外筒１６０を硬質ポリ塩化ビニルのような加工性に優れた材料で形成すれば、突出部１４１の位置に合わせて外筒１６０に孔１６１を開ける工程を、水中モータポンプ１００が設置される現地で実施することも可能である。
【００４０】
また、外筒１６０の下端には開口端１６３が形成されている。それゆえ、外筒１６０の下端側において、外筒１６０とモータ１３０との間の隙間の端部は開放されている。この隙間の端部から十分に水を吸い込むことでモータ１３０を効率的に冷却するためには、反対側、すなわち外筒１６０の上端側において、外筒１６０と吐出管１２０との間の隙間の端部は閉じられていた方がよい。しかしながら、この部分では、取付部材１４０が外筒１６０と吐出管１２０との間に介在するため、外筒１６０の上端に隙間を閉じる構造を設ける必要はない。なお、必ずしも隙間の端部を密封する必要はないため、取付部材１４０と外筒１６０との間や、取付部材１４０自体には、例えば上述したケーブル孔１５５などによる多少の隙間が存在してもよい。
【００４１】
以上、本発明の一実施形態について説明した。本実施形態では、例えば、水中モータポンプに外筒を取り付けるための取付部材、またはそのような取付部材を含む水中モータポンプが提供される。ここで、本実施形態に係る取付部材は、例えば図３および図４に示すような全体を単位として提供されてもよいし、図５に示すような部分を単位として提供されてもよい。
【００４２】
なお、本発明の他の実施形態において、取付部材の複数の部分は必ずしも分離していな
くてもよく、例えばそれぞれの部分が蝶番などの開閉可能な構造によって連結されることによって、一体として扱われてもよい。この場合、取付部材の少なくとも一部は、開閉可能な構造が閉じられたときに吐出管を締め付けるように構成された内周形状を有する。また、他の実施形態において、取付部材が外筒を支持する構造は、必ずしも上記の実施形態におけるような突出部と孔との嵌合構造には限られない。例えば、外筒の上端部に外側に張り出したフランジが形成され、このフランジが取付部材の内側に張り出したフランジと係合することによって、取付部材が外筒を支持してもよい。
【００４３】
以上、添付図面を参照しながら本発明の好適な実施形態について詳細に説明したが、本発明の技術的範囲はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４４】
１００    水中モータポンプ
１１０    水中ポンプ
１１７    吸込口
１２０    吐出管
１３０    モータ
１４０    取付部材
１４１    突出部
１４３    上部内周面
１４５，１４９    溝
１４７    下部内周面
１６０    外筒
１６１    孔
１６３    開口端
【図１】
0006650229.tif 000002
【図２】
0006650229.tif 000003
【図３】
0006650229.tif 000004
【図４】
0006650229.tif 000005
【図５】
0006650229.tif 000006
【図６】
0006650229.tif 000007